(57)【要約】【課題】床排水仕様および壁排水仕様の水洗便器に対し共通仕様として実現可能であり、汎用性が高く、水洗便器の洗浄水が手洗い器の排水管に流入するのを防止することのできる手洗い器の排水構造を提供すること。【解決手段】屈曲管が開放端を上方に向けることによりボウル内に水溜りを形成可能とし、屈曲管の回動により開放端が下方に向いたときにボウル内の汚物を溜め水および洗浄水とともに排出可能とした水洗便器１における屈曲管が納められた排出室８の上端部に、水洗便器と別体として配設された手洗い器１１からの排水管１６が接続されるとともに、水洗便器の洗浄時に排出室に流入する洗浄水が手洗い器の排水管に流れ込むのを防止する洗浄水防止壁が、排出室の内部において排水管の接続端部に対向して配設されている。【選択図】図１
2009150125.tif 000002
【特許請求の範囲】
【請求項１】
上下方向に回動可能な屈曲管が開放端を上方に向けることによりボウル内に水溜りを形成可能とし、屈曲管の回動により開放端が下方に向いたときにボウル内の汚物を溜め水および洗浄水とともに排出可能とした水洗便器における屈曲管が納められた排出室の上端部に、水洗便器と別体として配設された手洗い器からの排水管が接続されるとともに、水洗便器の洗浄時に排出室に流入する洗浄水が手洗い器の排水管に流れ込むのを防止する洗浄水防止壁が、排出室の内部において排水管の接続端部に対向して配設されていることを特徴とする手洗い器の排水構造。
【発明の詳細な説明】
【技術分野】
【０００１】
本発明は、トイレに水洗便器と別体として手洗い器を設置する際の新たな排水工事を不要にした手洗い器の排水構造に関する。
【背景技術】
【０００２】
水道管に直結され、洗浄水が供給されるタンクレスの水洗便器を住宅のトイレに設置する場合には、手洗いのために手洗い器をトイレに設置する必要がある。また、リフォームの際に、タンクレスの水洗便器に取り替える場合には、新たに手洗い器を設置する必要がある。これらの場合に問題となるのが手洗い器の排水工事であり、そこで本出願人は、手洗い器に新たな排水設備を設けず、水洗便器の排出部と共用し、排水工事を不要とした便器の排水構造をこれまでに提案している（特許文献１）。
【０００３】
上記便器の排水構造では、水洗便器は、上下方向に回動可能な屈曲管が開放端を上方に向けることによりボウル内に水溜りを形成可能とし、屈曲管の回動により開放端が下方に向いたときにボウル内の汚物を溜め水および洗浄水とともに排出可能としたものであり、この水洗便器の屈曲管が納められた排出室に手洗い器の排水管を接続し、排出室の下部を排水の排出部として手洗い器の排水をこの排出部から排出するようにしている。
【０００４】
したがって、手洗い器の排水のために水洗便器とは別に排水設備を設ける必要がなく、手洗い器専用の排水管をトイレに引き込むという大掛かりな排水工事が解消され、手洗い器の設置、新設に際しての施工を容易にし、コストの低減が図られている。
【特許文献１】特開２００１−１５２５３３号公報
【発明の開示】
【発明が解決しようとする課題】
【０００５】
上記の通りの利点を有する便器の排水構造であるが、より汎用性の高いものとして実現するために改善点がいくつか見出された。
【０００６】
上記便器の排水構造では、水洗便器における屈曲管が納められた排出室の下部を排水の排出部としているため、便器の排水構造は、床排水仕様の水洗便器にしか適用することができなかった。２階以上の上階に設置されたトイレには、壁方向に排出する壁排水仕様の水洗便器が設置されることがあるので、このような壁排水仕様の水洗便器にも適用することができ、しかも床排水仕様の水洗便器との共通仕様となる手洗い器の排水構造が是非とも望まれる。また、そのような手洗い器の排水構造の実現には、水洗便器が壁排水仕様の場合、洗浄水が排出室から壁方向に排出されることを考慮し、洗浄水が手洗い器の排水管に流入しないような配慮が必要とされる。
【０００７】
本発明は、以上の通りの事情に鑑みてなされたものであり、床排水仕様および壁排水仕様の水洗便器に対し共通仕様として実現可能であり、汎用性が高く、水洗便器の洗浄水が手洗い器の排水管に流入するのを防止することのできる手洗い器の排水構造を提供することを課題としている。
【課題を解決するための手段】
【０００８】
本発明は、上記の課題を解決するために、上下方向に回動可能な屈曲管が開放端を上方に向けることによりボウル内に水溜りを形成可能とし、屈曲管の回動により開放端が下方に向いたときにボウル内の汚物を溜め水および洗浄水とともに排出可能とした水洗便器における屈曲管が納められた排出室の上端部に、水洗便器と別体として配設された手洗い器からの排水管が接続されるとともに、水洗便器の洗浄時に排出室に流入する洗浄水が手洗い器の排水管に流れ込むのを防止する洗浄水防止壁が、排出室の内部において排水管の接続端部に対向して配設されていることを特徴としている。
【発明の効果】
【０００９】
本発明によれば、水洗便器における屈曲管が納められた排出室の上端部に、水洗便器と別体として配設された手洗い器からの排水管が接続されているので、排出室に設ける排出部は、排出室の下部ばかりでなく、水洗便器の後方側部に配置することができる。したがって、床排水仕様、壁排水仕様を問わず、手洗い器の排水管を水洗便器の排出室に接続することができ、手洗い器の排水を水洗便器の排出室から排出することができる。床排水仕様および壁排水仕様の水洗便器に対し共通仕様の手洗い器の排水構造が実現され、汎用性の高いものとなる。
【００１０】
また、洗浄水防止壁が、排出室の内部において手洗い器の排水管の接続端部に対向して配設されているので、手洗い器の排水管が排出室の上端部に接続されていても、水洗便器の洗浄時に排出室に流入する洗浄水が手洗い器の排水管に流れ込むのを防止することができる。
【発明を実施するための最良の形態】
【００１１】
図１、図２は、それぞれ、本発明の手洗い器の排水構造の一実施形態を示した斜視図、要部構成図である。
【００１２】
水洗便器１は、水道管に直結され、洗浄水が供給されるタンクレスタイプのものである。図示していない水道管がトイレ２の壁際に引き込まれ、水道管に給水管３の一端が止水栓などを介して接続されている。給水管３の他端は、水洗便器１の内部の給水部に接続されている。水洗便器１の内部には、壁から延びる給水管３を通じて水道水が供給され、ボウル４内の水溜りの形成、洗浄などが可能となっている。
【００１３】
水洗便器１は、また、図２に示したような蛇腹管などの屈曲管５の上下方向の回動によりボウル４内の汚物を溜め水および洗浄水とともに排出することができるものである。屈曲管５は、一端がボウル４と連通し、他端が開放端６とされている。開放端６が、図２に示したように、上方を向いているときにボウル４内に水道水が供給され、屈曲管５の開放端６までの高さの水溜りがボウル４内に形成される。屈曲管５が回動し、開放端６が下方を向くと、ボウル４内に洗浄水が供給され、ボウル４内の汚物が溜め水および洗浄水とともに排出される。屈曲管５の上下方向の回動は、開放端６を支持する支持部７が水平方向に延びる回動軸に支持され、モータからの駆動力が支持部７に伝達されて実現される。したがって、電気信号の入力により、屈曲管５は自動的に上下方向に回動し、水洗便器１は、汚物の排出およびボウル４の洗浄を行い、汚物の排出およびボウル４の洗浄に使用する水がサイフォンジェット式の水洗便器に比べ少量であっても排出性能および洗浄性能が良好であり、節水型の水洗便器であるとともに、洗浄音が静かでもあるという特長を有している。
【００１４】
屈曲管５は、水洗便器１の内部に設けられた、ボウル４に連通するケース状の排出室８の内部に納められ、排出室８の内部で上下方向に回動可能とされている。排出室８は、後方下部が開口し、管状の排出部９の一端が、その外周部に設けられた環状のフランジ１０を介して排出室８に連結され、排出部９は排出室８の内部に連通している。排出部９の他端は、図１に示したように、給水管３と同様に壁方向に延び、壁際に引き込まれた排水管に接続されている。ボウル４の洗浄時に排出室８に流入する汚物、溜め水および洗浄水は、排出室８の開口を通じて排出部９に向かい、排水管へと排出される。つまり、図１および図２に示した水洗便器１は、壁排水仕様のものである。
【００１５】
手洗い器１１は、上記の通りの水洗便器１と別体であり、トイレ２の給水管３および排出部９の接続側の壁と異なる壁面に取り付けられている。手洗い器１１は、カラン１２と手洗いボウル１３とを備え、カラン１２には回転式の操作部１４が設けられている。手洗いボウル１３の底部に設けられた排水口１５は、手洗い器１１から下方に延びる排水管１６に連通し、排水管１６は、また、水洗便器１に向かって延び、図２に示したように、水洗便器１の内部に設けられた排出室８の上端に設けられた管状の排水管接続部１７に接続され、排水管接続部１７を介して排出室８に連通している。
【００１６】
したがって、手洗い時に手洗いボウル１３の排水口１５から排水される排水は、排水管１６を通じて排水管接続部１７から排出室８に導かれた後、壁側に向かって延びる排出部９から壁方向に排出される。手洗い器１１の排水のために水洗便器１と別に排水設備を設ける必要がなく、手洗い器１１に専用の排水管をトイレ２に引き込むという大掛かりな排水工事が解消され、手洗い器１１の設置、新設に際しての施工を容易にし、コストの低減が図られている。
【００１７】
また、排出室８の排水管接続部１７に対向する後方上端部には、内部に、排水管接続部１７の開口全体を覆う洗浄水防止壁１８が、排出室８の上内面から垂下延設されている。洗浄水防止壁１８は、手洗い器１１から延びる排水管１６の接続端部に対向して配置されている。洗浄水防止壁１８の下端は、排水管接続部１７の下端、すなわち、排水管１６の下端より下側に位置し、したがって、排水管１６からの排水は、排水管接続部１７を通じて排出室８に達した後、排出室８の内面と洗浄水防止壁１８との間の通路を通って排出室８の内部に流出する。
【００１８】
洗浄水防止壁１８は、水洗便器１の洗浄時に、屈曲管５の下方への回動によりボウル４から排出室８に流入する洗浄水が、排水管１６に流入するのを阻止する。特に図１および図２に示した壁排水仕様の水洗便器１の場合、排出室８の後方下部に排出部９が接続されているので、洗浄時の洗浄水が、流入の勢いによって排出室８の中で跳ね返り、しぶきなどとなって飛散しやすいが、洗浄水防止壁１８の存在によって、そのように飛散する洗浄水が、排出室８の上端部の排水管接続部１７に接続された排水管１６に流入するのを防止し、排出部９を通じて確実に排出する。
【００１９】
このように、図１および図２に示した手洗い器の排水構造は、先に提案した便器の排水構造では実現することのできなかった、壁排水仕様の水洗便器１に対して、手洗い器１１からの排水を排出室８を通じて排出部９から排出することを可能にしている。
【００２０】
図３は、本発明の手洗い器の排水構造の一実施形態を示した要部構成図である。図３は、図２に準じて図示したものであり、また、図中において図２に示したものと共通するものには同一の符号を付している。したがって、同一の符号が付されたものについては説明を省略する。
【００２１】
図３に示した手洗い器の排水構造は、先に提案した便器の排水構造と同様に、排出部９を排出室８の下端部に設けた、床排水仕様の水洗便器１に対して適用されたものである。手洗い器１１からの排水管１６は、屈曲管５が納められた排出室８の後方上端部に接続されているので、排出部９を排出室８の下端部に設けることもでき、床に引き込まれた排水管１９に接続し、洗浄時に汚物、溜め水とともに洗浄水を排出することができる。
【００２２】
したがって、本発明の手洗い器の排水構造は、床排水仕様、壁排水仕様いずれの水洗便器に対しても共通仕様として実現され、実用に供されるものであり、汎用性の高い排水構造となっている。
【００２３】
また、図３に示した手洗い器の排水構造においても、排出室８の排水管接続部１７に対向する後方上端部には、内部に、排水管接続部１７の開口全体を覆う洗浄水防止壁１８が、排出室８の上内面から垂下延設され、洗浄水防止壁１８は、手洗い器１１から延びる排水管１６の接続端部に対向して配置されているので、洗浄水防止壁１８によって、洗浄時に流入する洗浄水が排出室８の内部において飛散しても、排出室８の上端部の排水管接続部１７に接続された排水管１６に流入するのを防止し、排出部９を通じて排出するのを確実にしている。
【００２４】
なお、本発明の手洗い器の排水構造では、手洗い器の構成および構造については特に制限はなく、トイレに設置可能であれば任意のものでよく、また、水洗便器については、排出室に納められた屈曲管の上下方向の回動によりボウル内の汚物を溜め水および洗浄水とともに排出可能で、また、水溜りを形成することができるものであれば、その他の構成および構造は任意とすることができる。
【図面の簡単な説明】
【００２５】
【図１】本発明の手洗い器の排水構造の一実施形態を示した斜視図である。
【図２】図１に示した手洗い器の排水構造の要部構成図である。
【図３】本発明の手洗い器の排水構造の一実施形態を示した要部構成図である。
【符号の説明】
【００２６】
１  水洗便器
４  ボウル
５  屈曲管
６  開放端
８  排出室
１１  手洗い器
１６  排水管
１８  洗浄水防止壁
【図１】
2009150125.tif 000003
【図２】
2009150125.tif 000004
【図３】
2009150125.tif 000005